【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
印刷装置であって、
印刷部によって印刷を実行する印刷手段と、
前記印刷部を覆う筐体の一部である開閉可能な開閉部をロックするロック手段と、
前記印刷部の少なくとも一部にエラーが発生したことに基づいて、表示部に所定の画面を表示する表示手段と、
前記開閉部がロックされている状態で、前記表示部が表示する前記所定の画面に対して、前記開閉部のロックを解除するための所定のユーザ操作が行われたことを検知する検知手段と、
前記所定のユーザ操作が行われたことが検知された場合、前記開閉部のロックを解除する解除手段と、
前記所定のユーザ操作が行われたことが検知された場合、前記印刷部に対する所定の準備処理を実行する実行手段と、を有し、
前記開閉部がロックされている状態では、前記開閉部に対する前記開閉部を開けるためのユーザ操作が行われても、前記開閉部が開放されないことを特徴とする印刷装置。
【請求項２】
前記所定の画面は、前記印刷部の少なくとも一部を交換するための操作が行われた場合にも前記表示部に表示されることを特徴とする請求項１に記載の印刷装置。
【請求項３】
前記所定のユーザ操作が行われたことが検知された場合、前記準備処理が完了した後に、前記開閉部のロックが解除されることを特徴とする請求項１又は２に記載の印刷装置。
【請求項４】
前記印刷部は、印刷に利用される記録剤を保持する保持部を含み、
前記準備処理は、前記記録剤に関する情報を、前記保持部が備えるメモリに保存する処理を含むことを特徴とする請求項１乃至３のいずれか１項に記載の印刷装置。
【請求項５】
前記印刷部は、印刷に利用される記録剤を保持する保持部を含み、
前記準備処理は、前記保持部から前記記録剤を供給するための供給弁を閉める処理を含むことを特徴とする請求項１乃至４のいずれか１項に記載の印刷装置。
【請求項６】
前記印刷部は、印刷に利用される記録剤を保持する保持部及び、前記保持部に保持されていた記録剤のうち、印刷に利用されない記録剤を回収する回収部を含み、
前記保持部に関するエラー及び、前記回収部に関するエラーが発生した場合、前記回収部を交換することをユーザに促す画面及び前記所定の画面が前記表示部に表示され、
前記回収部を交換することをユーザに促す画面及び前記所定のユーザ操作を受け付けるための画面が前記表示部に表示されたことに基づいて、前記開閉部が開放された後、前記開閉部がロックされた場合、前記保持部を交換することをユーザに促す画面及び前記所定の画面が前記表示部に表示されることを特徴とする請求項１乃至５のいずれか１項に記載の印刷装置。
【請求項７】
前記回収部を交換することをユーザに促す画面及び前記所定の画面が前記表示部に表示されたことに基づいて、前記開閉部が開放されている間に、前記回収部及び前記保持部が交換された場合、前記保持部を交換することをユーザに促す画面及び前記所定の画面が前記表示部に表示されないことを特徴とする請求項６に記載の印刷装置。
【請求項８】
前記印刷部は、印刷ヘッドを含み、
前記準備処理は、前記印刷ヘッドを、前記印刷ヘッドを交換するための交換位置に移動させる処理を含むことを特徴とする請求項１乃至７のいずれか１項に記載の印刷装置。
【請求項９】
前記印刷部は、印刷ヘッドを含み、
前記準備処理は、前記印刷ヘッドを覆うヘッドカバーを開放させる処理を含むことを特徴とする請求項１乃至８のいずれか１項に記載の印刷装置。
【請求項１０】
前記印刷部は、印刷に利用される記録剤を保持する保持部及び印刷ヘッドを含み、
前記保持部に関するエラーが発生したこと又は、前記保持部を交換するためのユーザ操作が行われたことに応じて前記所定のユーザ操作が実行されたことが検知された場合、前記保持部に関する前記準備処理が実行され、前記印刷ヘッドに関する前記準備処理が実行されず、
前記印刷ヘッドに関するエラーが発生したこと又は、前記印刷ヘッドを交換するためのユーザ操作が行われたことに応じて前記所定のユーザ操作が実行されたことが検知された場合、前記保持部に関する前記準備処理及び、前記印刷ヘッドに関する前記準備処理が実行されることを特徴とする請求項１乃至９のいずれか１項に記載の印刷装置。
【請求項１１】
前記準備処理は、前記印刷部の少なくとも一部への電力の供給を停止する処理を含むことを特徴とする請求項１乃至１０のいずれか１項に記載の印刷装置。
【請求項１２】
前記開閉部がロックされている状態で、前記開閉部に対する、前記開閉部を開放するためのユーザ操作が実行された場合、所定の通知処理を実行する通知手段をさらに有することを特徴とする請求項１乃至１１のいずれか１項に記載の印刷装置。
【請求項１３】
前記所定の通知処理は、スピーカから所定の通知音を発生させる処理を含むことを特徴とする請求項１２に記載の印刷装置。
【請求項１４】
前記所定の通知処理は、前記開閉部に対する、前記開閉部を開放するためのユーザ操作を実行しないように、ユーザを促す画面を表示部に表示する処理を含むことを特徴とする請求項１２又は１３に記載の印刷装置。
【請求項１５】
前記開閉部がロックされており、且つ前記印刷装置が、第１の状態よりも消費電力が低い第２の状態である状態において、前記開閉部に対する、前記開閉部を開放するためのユーザ操作が実行された場合、前記印刷装置を前記第２の状態から前記第１の状態に遷移させる遷移手段をさらに有し、
前記開閉部がロックされており、且つ前記印刷装置が前記第２の状態である状態において、前記開閉部に対する、前記開閉部を開放するためのユーザ操作が実行された場合、前記印刷装置が前記第２の状態から前記第１の状態に遷移した後、前記所定の通知処理が実行されることを特徴とする請求項１２乃至１４のいずれか１項に記載の印刷装置。
【請求項１６】
前記開閉部が開放された後、前記開閉部が閉じられた場合、前記開閉部がロックされることを特徴とする請求項１乃至１５のいずれか１項に記載の印刷装置。
【請求項１７】
前記印刷部によって、インクを記録媒体上に吐出することで印刷が実行されることを特徴とする請求項１乃至１６のいずれか１項に記載の印刷装置。
【請求項１８】
印刷装置の制御方法であって、
印刷部によって印刷を実行する印刷ステップと、
前記印刷部を覆う筐体の一部である開閉可能な開閉部をロックするロックステップと、
前記印刷部の少なくとも一部にエラーが発生したことに基づいて、表示部に所定の画面を表示する表示ステップと、
前記開閉部がロックされている状態で、前記表示部が表示する前記所定の画面に対して、前記開閉部のロックを解除するための所定のユーザ操作が行われたことを検知する検知ステップと、
前記所定のユーザ操作が行われたことが検知された場合、前記開閉部のロックを解除する解除ステップと、
前記所定のユーザ操作が行われたことが検知された場合、前記印刷部に対する所定の準備処理を実行する実行ステップと、
前記開閉部がロックされている状態では、前記開閉部に対する前記開閉部を開けるためのユーザ操作が行われても、前記開閉部が開放されないことを特徴とする制御方法。
【請求項１９】
コンピュータを、請求項１乃至１７のいずれか１項に記載の印刷装置の各手段として動作させるためのプログラム。
【手続補正２】
【補正対象書類名】明細書
【補正対象項目名】０１０４
【補正方法】変更
【補正の内容】
【０１０４】
Ｓ１００７では、印刷装置１は、ロック解除画面表示中かどうかを判定する。印刷装置
１は、ＹＥＳ判定の場合は、Ｓ１００９に進み、ＮＯ判定の場合は、Ｓ１００８の処理を行う。なお、この判定において、さらに例えば、図６（ａ）のようなエラー通知画面や、
図６（ｃ）のような、交換画面表示中かどうかを判定しても良い。